(57)【要約】【課題】効果的に棚照明を実現することができ、かつ、棚上陳列スペースを拡張することができると共に、メンテナンス作業性を簡素化することができる照明装置を備えたショーケースを提供する。【解決手段】本発明のショーケース１は、陳列室１１内に架設した棚装置４上に商品を陳列して成るものであって、ＬＥＤ素子４４を備えたＬＥＤ照明装置４１を備え、棚装置４の棚板２３を透光性の板材にて構成すると共に、該棚板の後端面２３Ａより当該棚板２３内にＬＥＤ照明装置４１からの光を入射させる。【選択図】図６
2009005811.tif 000002
【特許請求の範囲】
【請求項１】
陳列室内に架設した棚上に商品を陳列して成るショーケースにおいて、
ＬＥＤ素子を備えたＬＥＤ照明装置を備え、
前記棚を透光性の板材にて構成すると共に、該棚の端面より当該棚内に前記ＬＥＤ照明装置からの光を入射させることを特徴とするショーケース。
【請求項２】
冷却装置により前記陳列室内を冷却することを特徴とする請求項１に記載のショーケース。
【請求項３】
前記ＬＥＤ照明装置からの光を、前記棚の後端面より入射させることを特徴とする請求項１又は請求項２に記載のショーケース。
【請求項４】
前記陳列室内に設けられた支柱と、該支柱に形成された係合孔に着脱自在に係合し、前記棚を支持する左右一対のブラケットとを備え、前記ＬＥＤ照明装置を前記各ブラケット後部間に渡って取り付けたことを特徴とする請求項３に記載のショーケース。
【請求項５】
前記棚の下面、及び／又は、上面と、前記ＬＥＤ照明装置からの光が入射する端面以外の端面に、当該ＬＥＤ照明装置からの光を拡散させる構造を施したことを特徴とする請求項１乃至請求項４の何れかに記載のショーケース。
【発明の詳細な説明】
【技術分野】
【０００１】
本発明は、陳列室内に棚を架設し、当該棚上に商品を陳列して成るショーケース、特に、当該棚の照明に関するものである。
【背景技術】
【０００２】
従来よりこの種ショーケースは、断面略コ字状の断熱壁の開口上縁に形成した吐出口から、開口下縁の吸込口に向けて冷気を吐出することにより、前記開口に冷気エアーカーテンを形成し、断熱壁にて囲繞された陳列室内は所定の温度に冷却される（特許文献１参照）。そして、開口上縁の外側に位置するキャノピーや開口両側縁及び棚前部下面などに複数の蛍光灯を取り付けて、陳列室内及びショーケース自体の照明を行っていた。
【０００３】
また、これ以外にも、ショーケースの陳列室内に架設される棚上商品を効果的に照明するため、当該棚自体を透明板材により構成し、棚後端側、すなわち、陳列室の背面側に照明装置としての蛍光灯照明を設け、これにより、棚自体を光らせるものが開発されている。
【特許文献１】特開平５−１４６３４６号公報
【発明の開示】
【発明が解決しようとする課題】
【０００４】
ところが、上記各従来の構成では、照明装置として蛍光灯を使用していたため、当該蛍光灯以外にも安定器やソケットなどを設ける必要がある。そのため、陳列室内という限定された空間において、これら付属部品を取り付けるためのスペースをも確保する必要が生じ、棚上陳列スペースの減縮が余儀なくされていた。
【０００５】
更に、陳列室内を所定の冷却温度として使用する場合には、結露の付着を回避することはできない。これに対し、上記付属部品と蛍光灯とは、電気的に接続されていることから、これら付属部品を含めた蛍光灯照明についての防水構造が必要となる。更に、棚上陳列スペースが減縮されてしまう問題がある。
【０００６】
また、蛍光灯は、蛍光管外面全体から光が拡散する構成とされているため、上述したような棚後端に蛍光灯を設け、棚自体を光らせる構成では、蛍光灯からの光を棚後端面のみに照射するような格別な構成が必要となる。
【０００７】
更に、蛍光灯は、経年劣化による輝度の低下や点灯不良により、交換作業が余儀なくされる。そのため、蛍光灯の交換作業を強いられることとなり、作業が煩雑となる問題がある。特に、棚後端に蛍光灯が設けられている場合には、棚を取り外さなければ、蛍光灯の交換作業をすることができないため、より一層、作業が煩雑化する問題がある。また、交換のため新しい蛍光灯を常備しておく必要があり、当該蛍光灯の保管場所を確保する必要がある。
【０００８】
そこで、本発明は従来の技術的課題を解決するために成されたものであり、効果的に棚照明を実現することができ、かつ、棚上陳列スペースを拡張することができると共に、メンテナンス作業性を簡素化することができる照明装置を備えたショーケースを提供する。
【課題を解決するための手段】
【０００９】
本発明のショーケースは、陳列室内に架設した棚上に商品を陳列して成るものであって、ＬＥＤ素子を備えたＬＥＤ照明装置を備え、棚を透光性の板材にて構成すると共に、該棚の端面より当該棚内にＬＥＤ照明装置からの光を入射させることを特徴とする。
【００１０】
請求項２の発明のショーケースは、上記発明において、冷却装置により陳列室内を冷却することを特徴とする。
【００１１】
請求項３の発明のショーケースは、上記各発明において、ＬＥＤ照明装置からの光を、棚の後端面より入射させることを特徴とする。
【００１２】
請求項４の発明のショーケースは、上記発明において、陳列室内に設けられた支柱と、該支柱に形成された係合孔に着脱自在に係合し、棚を支持する左右一対のブラケットとを備え、ＬＥＤ照明装置を各ブラケット後部間に渡って取り付けたことを特徴とする。
【００１３】
請求項５の発明のショーケースは、上記各発明において、棚の下面、及び／又は、上面と、ＬＥＤ照明装置からの光が入射する端面以外の端面に、当該ＬＥＤ照明装置からの光を拡散させる構造を施したことを特徴とする。
【発明の効果】
【００１４】
本発明によれば、陳列室内に架設した棚上に商品を陳列して成るショーケースにおいて、ＬＥＤ素子を備えたＬＥＤ照明装置を備え、棚を透光性の板材にて構成すると共に、該棚の端面より当該棚内にＬＥＤ照明装置からの光を入射させることにより、当該ＬＥＤ照明装置からの光によって、棚全体を光らせて商品を照明することが可能となる。これにより、当該ショーケースによる陳列効果を高めることができる。
【００１５】
特に、本実施例では、照明装置としてＬＥＤ照明装置を用いているため、従来の蛍光灯照明を使用した場合に比して、格別に安定器などを設ける必要がなく、照明装置自体の小型化を図ることが可能となる。そのため、陳列室内の限られた空間における棚として使用可能な面積を拡大することができる。
【００１６】
また、当該ＬＥＤ照明装置は、蛍光灯照明に比べて、耐年数が長く、交換メンテナンス等を不要とすることが可能となると共に、消費電力を低く抑えることが可能となる。従って、全体としてのコストの低減を図ることが可能となる。
【００１７】
請求項２の発明によれば、上記発明において、冷却装置により陳列室内を冷却することにより、温度依存性が無いＬＥＤ照明装置によって、陳列室内を照明することが可能となり、陳列室内を冷却して使用しても、冷却しないで使用する場合と同様の明るさで照明することができる。特に、当該ＬＥＤ照明装置は、従来の蛍光灯照明と比べて防水加工を施しやすいため、結露による不都合を容易に回避することが可能となる。
【００１８】
請求項３の発明によれば、上記各発明において、ＬＥＤ照明装置からの光を、棚の後端面より入射させることにより、当該ＬＥＤ照明装置からの光によって効果的に棚の前端面を光らせることができ、ショーケースによる陳列効果の向上、更には、顧客の購買意欲の向上を図ることが可能となる。
【００１９】
また、棚の前端や側端にＬＥＤ照明装置を設ける場合に比べて、外観の向上を図ることができると共に、当該ＬＥＤ照明装置自体が商品陳列の邪魔となる不都合を抑制することができる。
【００２０】
請求項４の発明によれば、上記発明において、陳列室内に設けられた支柱と、該支柱に形成された係合孔に着脱自在に係合し、棚を支持する左右一対のブラケットとを備え、ＬＥＤ照明装置を各ブラケット後部間に渡って取り付けることにより、ＬＥＤ照明装置と一体化されたブラケットに棚を架設することで、当該照明装置を備えた棚を構成することが可能となり、組立作業性が良好となる。
【００２１】
請求項５の発明によれば、上記各発明において、棚の下面、及び／又は、上面と、ＬＥＤ照明装置からの光が入射する端面以外の端面に、当該ＬＥＤ照明装置からの光を拡散させる構造を施したことにより、効果的な棚照明を実現することが可能となり、外観の向上を図ることが可能となる。
【発明を実施するための最良の形態】
【００２２】
以下、本発明の実施形態を図面に基づき詳細に説明する。図１は本発明を適用したショーケース１の正面図、図２は図１の縦断側面図を示している。
【００２３】
ショーケース１は前面に開口する断面略コ字状の断熱壁３と、その両側に取り付けられる側板２、２によって本体が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００２４】
背面ダクト９の上端は陳列室１１の前面開口上縁に位置する冷気吐出口１６に連通し、下部ダクト１４の前端は陳列室１１の前面開口下縁に位置すると共に、複数のスリットから成る冷気吸込口１７に連通している。また、デッキパン１０の下方の下部ダクト１４内には冷気送給用の送風機１９が配設され、陳列室１１後方の背面ダクト９内には冷却装置Ｒの冷凍サイクルを構成する冷却器１５が縦設されている。なお、各図において、５はロールカーテン式のナイトカバーであり、閉店時などにおいて引き出して陳列室１１の前面開口を閉塞するものである。
【００２５】
また、断熱壁３の下側には機械室２４が構成されており、この機械室２４内に冷却装置Ｒの冷凍サイクルを構成する圧縮機３１や凝縮器３２、凝縮器用の送風機３３等が設置されている。また、３４はこれら圧縮機３１等の冷却装置Ｒを制御するための冷却コントローラである。更に、断熱壁３の天面には後述する棚装置４の照明装置を制御するための照明コントローラ３６が取り付けられている。なお、図中３７は、機械室２４の前面開口を開閉自在に閉塞する前面パネルであり、当該前面パネル３７には、複数の吸込口３７Ａが形成されている。
【００２６】
次に、図３乃至図６を参照して本発明における棚となる棚装置４及びＬＥＤ照明装置４１について詳述する。図３はＬＥＤ照明装置４１が取り付けられた棚装置４の透視平面図、図４は図３のＡ−Ａ断面図、図５は図４の円Ｂ部分の拡大図、図６はＬＥＤ照明装置４１による光照射状態を示す棚装置４の斜視図を示している。
【００２７】
上述した如き陳列室１１内には本発明における棚となる棚装置４が複数段、本実施例では上下に５段架設されている。各棚装置４は、後端に後方に突出する鉤状の爪を有した左右一対のブラケット２０、２０と、このブラケット２０、２０上に差し渡して前後にそれぞれ取り付けられた前棚フレーム２１及び後棚フレーム２２と、これら棚フレーム２１、２２上に取り付けられた棚板２３と、後棚フレーム２２の上面に取り付けられたＬＥＤ照明装置４１とから構成されている。
【００２８】
陳列室１１内の背面パネル６の前面両側に取り付けられた棚支柱１２、１２に上下方向に複数形成された取付孔に前記ブラケット２０の後端に形成された係合爪を係脱自在に係合させることにより、各棚装置４は陳列室１１内において上下位置（高さ）を変更可能に架設されている。
【００２９】
ここで、ブラケット２０の上面には、陳列室１１内方に向けて略直角に折曲することで固定面２０Ａが形成されており、当該固定面２０Ａの前部には、前棚フレーム２１を螺着するための図示しないネジ穴が形成されている。これにより、それぞれのブラケット２０の固定面２０Ａに差し渡して断面略コ字状に形成された前棚フレーム２１がネジ２５により螺着される。本実施例における前棚フレーム２１の前側に位置する一方の下端は、更に後方に向けて略直角に形成されており、容易に脱落しない構成とされている。なお、図中２６は、当該前棚フレーム２１上面に載置される棚板２３との接触面における摩擦を干渉するための干渉部材である。
【００３０】
ブラケット２０の上面後部は、一部切り欠かれた階段状を呈しており、一段低く形成された当該上面にも、上記固定面２０Ａと同様に陳列室１１内方に向けて略直角に折曲された固定面２０Ｂが形成されている。当該固定面２０Ｂには、後棚フレーム２２を螺着するための図示しないネジ穴と、ＬＥＤ照明装置４１を構成するカバー４８を螺着するためのネジ穴２０Ｃが形成されている。前記後棚フレーム２２は、当該ブラケット２０後部（固定面２０Ａ、２０Ｂ）の外面形状に沿って断面略クランク状に形成されると共に、当該後端は、更に上方に向けて略直角に形成されている。
【００３１】
それぞれのブラケット２０に形成された固定面２０Ａ後部及び２０Ｂに後棚フレーム２２を差し渡し、当該後棚フレーム２２は、後述するＬＥＤ照明装置４１の取付板４７と共に、ネジ２７により共締めにて取り付けられる。なお、当該後棚フレーム２２にも、前棚フレーム２１に取り付けられる干渉部材２６と同様に、当該後棚フレーム２２上面に載置される棚板２３との接触面における摩擦を干渉するための干渉部材２８が取り付けられている。
【００３２】
また、各ブラケット２０の前端には、ブラケット２０に取り付けられた各棚フレーム２１、２２上面に載置された棚板２３を係止するための係止部２０Ｄが形成されている。
【００３３】
一方、棚板２３は、透光性の板材、例えば透明のアクリル樹脂製の板や、ガラス製の板などにより構成されている。そして、当該棚板２３は、導光板としての機能を奏するため、ＬＥＤ照明装置４１からの光を入射する後端面２３Ａ（光入射面）は、表面平坦な形状とされていると共に、その他の端面、すなわち、前端面２３Ｂ、各側端面２３Ｃ、更には、棚板下面２３Ｄ、商品載置面２３Ｅは、光入射面から入射された光を乱反射させ、拡散するための構造、例えば、磨りガラス形状や、複数条の溝や筋、傷などが形成されているものとする。当該溝や筋、若しくは、傷は、一方向に延在するものに限定されるものではなく、異なる多方向に延在するものであっても良い。また、棚板２３自体に光を拡散させる構造を施すものに限定されるものではなく、棚板２３に例えば光を拡散することができる拡散シートを貼付しても良い。
【００３４】
他方、ＬＥＤ照明装置４１は、ＬＥＤ照明部材４２と、ＬＥＤ固定具４６と、取付板４７と、カバー４８とから構成される。ＬＥＤ照明部材４２は、ＬＥＤ素子４４が設けられた複数の基板４３を直列に配線接続することにより構成されている。本実施例では、当該ＬＥＤ照明部材４２は、棚装置４の長手方向に渡って延在する透光性のチューブ４５内に装填されている。これにより、防水構造の構築、及び、取扱性の向上を図ることができる。本実施例におけるチューブ４５は、無色透明のチューブにより構成されており、一端が水密的に閉塞されていると共に、他端は、防水構造が施された蓋部材によって配線が外に引き出された状態で、閉塞されている。外部に引き出された配線は、図１に示される如き背面パネル６に形成される配線引出孔６Ａを介して前記照明コントローラ３６に接続される。なお、本実施例で使用するＬＥＤ素子４４は、チップタイプの青色ＬＥＤ素子である。当該ＬＥＤ素子から照射される色はこれに限定されるものではなく、他の色のＬＥＤ素子を使用したものや、シェードなどを用いて照射光を変更したものを用いても良い。
【００３５】
そして、係るチューブ４５内に装填された状態のＬＥＤ照明部材４２は、両端が、断面略Ｌ字状に形成された取付板４７にＬＥＤ固定具４６を介してネジ２９により固定される。上述したように、当該ＬＥＤ照明部材４２が取り付けられた取付板４７は、ブラケット２０、２０間に差し渡して取り付けられる後棚フレーム２２上に、ネジ２７により共締めにて固定される。
【００３６】
本実施例では、取付板４７を固定する後棚フレーム２２の後部は、ブラケット２０の後部上面に位置して棚板２３が載置される固定面２０Ａよりも一段低く形成される固定面２０Ｂに固定されることから、取付板４７に固定されるＬＥＤ照明部材４２のＬＥＤ素子４４を棚板２３の後端面２３Ａに対向させた状態で取り付けることが可能となる。従って、指向性の高いＬＥＤ素子４４からの照射光を適切に光入射面である棚板２３の後端面２３Ａから棚板２３内部に入射することが可能となる。
【００３７】
そして、ＬＥＤ照明部材４２は、上方からカバー４８により当該ＬＥＤ照明部材４２を被覆する。このカバー４８は、ＬＥＤ照明部材４２と同様に、棚板２３の長手方向に延在して形成されており、前面及び下面に開口を有する矩形体により形成されている。そして、下端部は、前方に向けて折曲してフランジ４８Ａが形成されている。これにより、当該フランジ４８Ａを後棚フレーム２２の後端部とブラケット２０の固定面２０Ｂとの間に挿入し、ネジ３０にて後棚フレーム２２と共に、ブラケット２０に共締めにて固定する。
【００３８】
他方、カバー４８の上面前端は、下方に所定寸法だけ垂下した後、更に後方に折曲された棚板保持部４８Ｂが形成されている。これにより、後棚フレーム２２上面に載置された棚板２３の後端部は、上面がカバー４８の棚板保持部４８Ｂによって、上下の移動が規制される。なお、後棚フレーム２２の両側端の後部上端には、カバー４８に沿って上方に延在し、当該上端から前方に折曲されて棚板保持部４８Ｂの後端まで延在している図示しない立上部が形成されており、カバー４８の上面は、ネジ４９により当該立上部に固定される。
【００３９】
係る構成により、照明コントローラ３６により各棚装置４に設けられたＬＥＤ照明部材４２による照明を行うことにより、当該ＬＥＤ照明部材４２のＬＥＤ素子４４から照射される光は、棚板２３の後端面２３Ａより棚板２３内部に入射され、図６において白抜き矢印にて示されるように、当該入射光は、棚板２３全体を光らせつつ、棚板２３の各面２３Ｂ、２３Ｃ、２３Ｄ、２３Ｅより光らせることが可能となる。
【００４０】
特に、棚板２３の各端面は、光拡散構造が施されているため、乱反射され、効果的な棚照明を実現することが可能となり、外観の向上を図ることができる。また、これによって、当該棚板２３の商品載置面２３Ｅに陳列される商品や、当該棚板２３の下方に架設される棚装置４に陳列される商品を効果的に照明することが可能となり、ショーケース１による陳列効果を高めることができる。
【００４１】
特に、本実施例では、ＬＥＤ照明装置４１は、棚装置４の後方に配置し、ＬＥＤ照明部材４２のＬＥＤ素子４４からの光を、棚板２３の後端面２３Ａより入射させることから、当該ＬＥＤ素子４４からの光によって効果的に棚の前端面２３Ｂを光らせることができ、主に顧客に面する正面に向けて照明を行うことができる。これにより、ショーケース１による陳列効果の向上、更には、顧客の購買意欲の向上を図ることが可能となる。
【００４２】
なお、本実施例では、ＬＥＤ照明装置４１を棚装置４の後方に配置しているが、これに限定されるものではなく、例えば、棚板２３の前端面２３Ｂや側端面２３Ｃ等に対応してＬＥＤ照明装置４１を配置してもよい。これによっても、効果的な棚照明を実現することができる。
【００４３】
また、棚板２３の前端面２３Ｂや側端面２３ＣにＬＥＤ照明装置４１を設ける場合に比べて、外観の向上を図ることができると共に、当該ＬＥＤ照明装置４１自体が商品陳列の邪魔となる不都合を抑制することができる。
【００４４】
なお、当該棚装置４が架設される陳列室１１を区画する背面パネル６や天面パネル７、更には、デッキパン１０は、反射効率の高い例えば白色に塗装された鋼板を用いることで、より一層、照明効果を高めることが可能となる。
【００４５】
また、本実施例では、照明装置としてＬＥＤ照明装置４１を用いているため、従来の蛍光灯照明を使用した場合に比して、格別に安定器などを設ける必要がなく、照明装置自体の小型化を図ることが可能となる。これにより、陳列室１１内の限られた空間における棚装置４の商品載置面２３Ｅとして使用可能な面積を拡大することができる。
【００４６】
更に、当該ＬＥＤ照明装置４１のＬＥＤ素子４４は、蛍光灯照明に比べて、耐年数が長く、交換メンテナンス等を不要とすることが可能となると共に、消費電力を低く抑えることが可能となる。従って、全体としてのコストの低減を図ることが可能となる。
【００４７】
特に、本実施例では、当該ＬＥＤ照明装置４１が設けられる陳列室１１内は、冷却装置Ｒにより所定の冷却温度に冷却されることとなるが、当該ＬＥＤ素子４４は、温度依存性が無いことから、従来の蛍光灯照明とは異なり、陳列室１１内を冷却して使用しても、冷却しないで使用する場合と同様の明るさで照明することができる。
【００４８】
また、当該ＬＥＤ照明装置４１は、従来の蛍光灯照明と比べて安定器などの付属部品を不要とすることができることから、防水加工を施しやすいため、結露による不都合を容易に回避することが可能となる。
【００４９】
なお、当該ＬＥＤ照明装置４１を構成するＬＥＤ照明部材４２は、使用されるＬＥＤ素子４４の色などを変更することにより、棚照明を行う色を変更することが可能となる。これにより、照明色の変更により陳列効果のバリエーションを増大させることができる。
【００５０】
この場合において、ＬＥＤ照明部材４２を交換する場合には、まず初めに、カバー４８を固定しているネジ３０、４９を取り外してカバー４８を除去し、ネジ２７を取り外してＬＥＤ照明部材４２が取り付けられる取付板４７を後棚フレーム２２から取り外す。この状態で、当該取付板４７に取り付けられるＬＥＤ照明部材４２を交換し、再び上記と逆の手順で、ＬＥＤ照明部材４２を取り付けることにより行う。
【００５１】
このように、棚板２３を支持する左右一対のブラケット２０、２０の後部間に渡って、ＬＥＤ照明部材４２を備えたＬＥＤ照明装置４１を取り付けることができるため、ＬＥＤ照明装置４１と一体化されたブラケット２０に棚板２３を架設することで、当該照明装置４１を備えた棚装置４を構成することが可能となり、組立作業性が良好となる。
【００５２】
従って、棚装置４の高さを変更した場合であっても、当該高さ変更に伴って、棚の照明を行うＬＥＤ照明装置４１も同時に高さ変更されることから、構造の簡素化及び、作業の簡素化を実現することが可能となる。
【図面の簡単な説明】
【００５３】
【図１】本発明を適用したショーケースの正面図である。
【図２】図１の縦断側面図である。
【図３】ＬＥＤ照明装置が取り付けられた棚装置の透視平面図である。
【図４】図３のＡ−Ａ断面図である。
【図５】図４の円Ｂ部分の拡大図である。
【図６】光の照射状態を示す棚装置の斜視図である。
【符号の説明】
【００５４】
Ｒ    冷却装置
１    ショーケース
２    側板
３    断熱壁
４    棚装置（棚）
６    背面パネル
１０  デッキパン
１１  陳列室
１２  棚支柱
２０  ブラケット
２０Ａ、２０Ｂ  固定面
２１  前棚フレーム
２２  後棚フレーム
２３  棚板
２３Ａ  後端面（光入射面）
２３Ｂ  前端面
２３Ｃ  側端面
２３Ｄ  棚板下面
２３Ｅ  商品載置面
４１  ＬＥＤ照明装置
４２  ＬＥＤ照明部材
４３  基板
４４  ＬＥＤ素子
４５  チューブ
４６  ＬＥＤ固定具
４７  取付板
４８  カバー
【図１】
2009005811.tif 000003
【図２】
2009005811.tif 000004
【図３】
2009005811.tif 000005
【図４】
2009005811.tif 000006
【図５】
2009005811.tif 000007
【図６】
2009005811.tif 000008